(57)【要約】【課題】気密性と防振性の高いブロアモータの支持構造を有し、低振動・低騒音の手乾燥装置を得ること。【解決手段】手を乾燥させる空気流を噴出するノズルと、吸込口及び吐出口を有し、前記吸込口を下向きにして筐体内に配置され、内部にブロワモータを設置する略水平の支持面を有する筒状のブロワケースと、前記ブロワモータに装着され、前記ブロワモータの自重及びブロワモータの吐出圧により前記ブロワモータの支持面に気密に密着して前記ブロワモータを防振支持し、前記ブロワケースの側部内壁とは密着しないリング状の防振シール材と、前記ノズルと前記前記ブロワケースの吐出口とを接続し、前記ブロアモータで加圧された空気を前記ノズルに供給するダクトと、を備える。【選択図】        図２
2007044343.tif 000002
【特許請求の範囲】
【請求項１】
手を乾燥させる空気流を噴出するノズルと、
吸込口及び吐出口を有し、前記吸込口を下向きにして筐体内に配置され、内部にブロワモータを設置する略水平の支持面を有する筒状のブロワケースと、
前記ブロワモータに装着され、前記ブロワモータの自重及びブロワモータの吐出圧により前記ブロワモータの支持面に気密に密着して前記ブロワモータを防振支持し、前記ブロワケースの側部内壁とは密着しないリング状の防振シール材と、
前記ノズルと前記ブロワケースの吐出口とを接続し、前記ブロアモータで加圧された空気を前記ノズルに供給するダクトと、
を備えることを特徴とする手乾燥装置。
【請求項２】
前記防振シール材と前記ブロワケースの側部内壁との間には、隙間が設けられていることを特徴とする請求項１に記載の手乾燥装置。
【請求項３】
前記ブロワケースの支持面は、前記ブロワケースの吸込口に形成された内フランジ部であることを特徴とする請求項１又は２に記載の手乾燥装置。
【請求項４】
前記防振シール材は、前記ブロワモータの吸込側端部に当接する内フランジ部と、吸込側外周部に外嵌する筒状部とを有することを特徴とする請求項１〜３のいずれか一つに記載の手乾燥装置。
【請求項５】
前記ブロワケースが、前記ブロワモータの軸中心に沿う面で、第１ケースと第２ケースとに２分割されていることを特徴とする請求項１〜４のいずれか一つに記載の手乾燥装置。
【請求項６】
前記ブロワケースの第１ケースと第２ケースとの合せ面には、空気漏れを防止するパッキンを備えることを特徴とする請求項５に記載の手乾燥装置。
【請求項７】
前記パッキンが、前記合せ面で前記防振シール材と気密に接触していることを特徴とする請求項６に記載の手乾燥装置。
【発明の詳細な説明】
【技術分野】
【０００１】
本発明は、洗浄後の濡れた手に空気を吹き付けて衛生的に乾燥させる手乾燥装置に関するものである。
【背景技術】
【０００２】
従来の手乾燥装置として、風が吸い込み口、風路部を経由してブロアブロックに引き込まれ、吹き出し口から手挿入部（手挿入室）に風を吹き出して手を乾燥させる手乾燥装置であって、本体ハウジング（筐体）内に配置され、ファン回転軸を水平にしたブロワモータの外周部及びファン側端部を、独立発泡ゴム等で形成した保持材（防振シール材）を介して内壁部に固定したブロワケースが、本体ケーシングの背面側に配設した背面板に固定具によって固定されるものにおいて、前記ブロアケースと背面板との固定が、固定具と背面板とが直接接触しないように弾性保持部を介してなされているものがある（例えば、特許文献１参照）。
【０００３】
【特許文献１】特開２０００−０００１７９号公報（請求項１、第３頁、図２、図７）
【発明の開示】
【発明が解決しようとする課題】
【０００４】
高速空気流で手を乾燥する手乾燥装置は、ターボファンを高速で回転させるので、ブロワモータの振動が大きく、ブロワモータの振動が手乾燥装置の筐体に伝わって騒音の原因となっている。
【０００５】
ブロワモータの振動をブロワケースに伝えないようにするための、上記の背景技術に記載されているような、独立発泡ゴム等で形成した保持材（防振材）は、ブロワケース内と外との気密シール材としての機能を持たせる必要があり、ブロワモータとブロワケースとの隙間に大きな接触面積で、かつ、圧縮された状態で挿入されていて、高い防振性能を得ることはできなかった。
【０００６】
このため、上記の背景技術に記載されているように、ブロワケースと筐体との間に弾性保持部を介在させることにより、ブロワモータの振動を筐体に伝えないようにする工夫がなされている。しかし、この弾性保持部も、固定具により締め付けられて圧縮されているので、高い防振性能を得ることができないという問題があった。
【０００７】
本発明は、上記に鑑みてなされたものであって、気密性と防振性の高いブロアモータの支持構造を有し、低振動・低騒音の手乾燥装置を得ることを目的とする。
【課題を解決するための手段】
【０００８】
上述した課題を解決し、目的を達成するために、本発明は、手を乾燥させる空気流を噴出するノズルと、吸込口及び吐出口を有し、前記吸込口を下向きにして筐体内に配置され、内部にブロワモータを設置する略水平の支持面を有する筒状のブロワケースと、前記ブロワモータに装着され、前記ブロワモータの自重及びブロワモータの吐出圧により前記ブロワモータの支持面に気密に密着して前記ブロワモータを防振支持し、前記ブロワケースの側部内壁とは密着しないリング状の防振シール材と、前記ノズルと前記前記ブロワケースの吐出口とを接続し、前記ブロアモータで加圧された空気を前記ノズルに供給するダクトと、を備えることを特徴とする。
【発明の効果】
【０００９】
この発明によれば、防振シール材とブロワケースの側部内壁とは密着していないので、ブロワモータの振動がブロワケースに伝わり難くなり、また、防振シール材は、固定具により締め付けられて圧縮されることもないので、高い防振性能が得られる。また、防振シール材をブロワケースの支持面に、ブロワモータの自重及びブロワモータの吐出圧をかけて密着させるので、防振シール材に十分な密着圧が加えられて高い気密性が得られる。
【発明を実施するための最良の形態】
【００１０】
以下に、本発明にかかる手乾燥装置の実施の形態を図面に基づいて詳細に説明する。なお、この実施の形態によりこの発明が限定されるものではない。
【００１１】
実施の形態
図１は、本発明にかかる手乾燥装置の実施の形態を示す縦断面図であり、図２は、図１のＡ−Ａ線に沿う拡大断面図である。
【００１２】
図１に示すように、略縦長直方体状の手乾燥装置１００は、筐体１の上方及び左右側方に手挿入口Ａが開口し（左右側方は閉じていてもよい）、前方に傾斜する略Ｕ字溝状の手挿入室３を備えている。また、筐体１内の中央部には、高圧空気流発生装置としてのブロワモータ２が設置され、ブロワモータ２で加圧された高圧空気流が、筐体１内に形成されたダクト２０を介して、手挿入室３の前面３ａ及び後面３ｂの手挿入口Ａ近傍に設けたノズルＢ、Ｂに供給され、ノズルＢ、Ｂから高圧空気流となって噴出して手挿入室３に挿入された手の水分を吹き飛ばして手を乾燥させる。図１中の実線矢印は、空気の流れを示し、破線矢印は、手から排除された水滴の流れを示している。
【００１３】
手挿入室３の前面３ａの下部には、手の挿入を検知してブロワモータ２を作動させるための第１の手検知センサ１４が設置され、後面３ｂの略中央部には、第２の手検知センサ１５が設置されている。
【００１４】
筐体１は、背面外郭としてのベース部４と正面外郭としての正面パネル５とを備え、ベース部４が部屋の壁等に取付けられる。手挿入室３の内壁面は、前面３ａと、後面３ｂと、底部の水受け部６とを備えている。
【００１５】
手挿入室３の内壁面には、シリコン系やフッ素系等の撥水性コーティング、又は、酸化チタン等の親水性を有するコーティングが施され、さらに、コーティングには抗菌剤が含浸されており、汚れを着き難くするとともに、細菌が繁殖しないようにしている。
【００１６】
水受け部６の低くなった部分には、手から飛散した水を排水する排水口７が設けられていて、排水口７には排水管８が接続され、排水管８の下端は、筐体１の下部に、前方向へ抜き出して取外し可能に設置されたドレンタンク９まで延びている。ドレンタンク９は、配水管８の下端が挿入される孔を設けた取外し可能な蓋１０を有している。
【００１７】
手挿入室３内で手から吹き飛ばされた水滴は、前面３ａ及び後面３ｂを伝って水受け部６へ落ち、排水口７から排水管８内を流れ落ちてドレンタンク９で回収される。ドレンタンク９及び蓋１０は、耐薬品性のあるポリプロピレン樹脂又はＡＢＳ樹脂等で製作されていて、中性洗剤やアルコール等で洗浄することができる。
【００１８】
ブロワモータ２は、ＤＣブラシレスモータ（整流子モータ又は誘導電動機であっても良い）と、モータのロータシャフト２３に取付けられて駆動されるターボファン１６とを備えている。この実施の形態においては、ブロワモータ２は、手挿入室３の直下に、ターボファン１６の吸込口を下向きにして設置されている。
【００１９】
筐体１の下部には、吸気路２１が形成されている。吸気路２１は、ブロワモータ２のブロワケース２２の下端部の吸込口１１に接続し、前後に蛇行するようにして下方に延び、ドレンタンク９の背後を通って、筐体１の最下部に達し、筐体１の底面に吸気口１２を開口している。
【００２０】
吸気口１２には、エアフィルタ１３が装着され、ブロワモータ２を塵埃から保護するとともに、ノズルＢ、Ｂから塵埃が吹き出さないようにしている。吸気路２１及びエアフィルタ１３は、吸気の圧力損失が大きくならないように設計されていて、ブロワケース２２の吸込口１１近傍の吸気路２１の圧力は、概ね大気圧となっている。
【００２１】
図１及び図２に示すように、吸込口１１及び吐出口１７を有し、内部にブロワモータ２が設置される中膨れ筒状のブロワケース２２は、吸込口１１にブロワモータ２の支持面としての内フランジ部１８が形成され、吸込口１１を下向きにして筺体１内に配置されている。
【００２２】
独立発泡ゴム等でリング状に形成した防振シール材２６は、ブロワモータ２の吸込側端部２ａに当接する内フランジ部２６ａと、吸込側外周部２ｂに外嵌する筒状部２６ｂとを有し、内フランジ部２６ａをブロワケース２２の内フランジ部１８に、ブロワモータ２の自重及びブロワモータ２の吐出圧をかけて気密に密着させるようにし、ブロワモータ２をブロワケース２２内に防振支持するとともに、ブロワケース２２内部を吸込口１１側空間と吐出口１７側空間とに気密に隔離している。防振シール材２６の筒状部２６ｂとブロワケース２２の側部内壁との間には、隙間２９が設けられていて、防振シール材２６とブロワケース２２の側部内壁とは密着していない。
【００２３】
図１に示すように、ダクト２０は、ノズルＢ、Ｂとブロワケース２２の吐出口１７とを接続し、ブロアモータ２で加圧された空気をノズルＢ、Ｂに供給する。
【００２４】
ブロワケース２２は、ブロワモータ２のロータシャフト２３の軸中心に沿う面で２分割されて形成されていて、第１ケース２２ａと第２ケース２２ｂとで形成されている。第１ケース２２ａと第２ケース２２ｂとの合せ面２４には、ブロワケース２２内の加圧された空気が外部へ漏れ出さないように、パッキン２５が装着されている。
【００２５】
パッキン２５は、合せ面２４で防振シール材２６の内フランジ部２６ａと気密に接触している。これにより、ブロワケース２２の吐出口１７側から吸込口１１側へ合せ面２４を通って漏れようとする空気も遮断することができ、高い気密性を得ることができる。
【００２６】
ブロワモータ２をブロワケース２２内に設置するときは、第２ケース２２ｂを第１ケース２２ａから取外した状態で、ブロワモータ２を、第１ケース２２ａの下フランジ部１８の外周部に複数設けられた位置決めリブ２８に合せて位置決めすることにより、簡単にブロワケース２２の中心位置に設置することができ、取付け不備による防振性能及びシール性能の低下を防止することができる。
【００２７】
ブロワモータ２の位置決め後、第２ケース２２ｂの合せ面２４を第１ケース２２ａの合せ面２４に合せ、両者を締結部２７でねじにより締結する。防振シール材２６の筒状部２６ｂとブロワケース２２の側部内壁とは密着しておらず、防振シール材２６は、ブロワケース２２と実質的に内フランジ部２６ａのみで接触している。ただし、隙間２９の幅を略零とし、筒状部２６ｂが、ブロワケース２２の内壁と振動を伝えない程度に接触するようにしてもよい。また、隙間２９に柔らかい吸音材を挟んでもよい。
【００２８】
以上のように構成した手乾燥装置１００の動作を説明する。手乾燥装置１００の手挿入室３に、洗浄後の濡れた手を手首付近まで挿入すると、手挿入室３に設置した第１、第２の手検知センサ１４、１５が手の挿入を検知して、ブロワモータ２を作動させる。ブロワモータ２が作動すると、エアフィルタ１３を通って吸気口１２から空気が流入し、吸気路２１を通ってブロワモータ２に送られ、ブロワモータ２により加圧される。
【００２９】
ブロワモータ２で加圧された空気は、ブロワケース２２内で高圧空気流となり、吐出口１７からダクト２０を通り、ノズルＢ、Ｂから手挿入室３内に噴出される。ノズルＢ、Ｂから噴出された高圧空気流は、手挿入室３内に挿入された手に吹き付け、手に付着している水を水滴として吹き飛ばす。
【００３０】
さらに、手挿入室３に手を挿抜すると、手全体に付着していた水がすべて吹き飛ばされ、手が乾燥する。手を手挿入室３から抜き出すと、第１、第２の手検知センサ１４、１５がこれを検知し、ブロワモータ２を停止させる。濡れた手から吹き飛ばされた水滴は手挿入室３の前面３ａ及び後面３ｂに付着し、前面３ａ及び後面３ｂを伝わって流れ、水受け部６に設けられた排水口７及び排水管８を通って、ドレンタンク９に回収される。
【産業上の利用可能性】
【００３１】
以上のように、本発明にかかる手乾燥装置は、低振動・低騒音の手乾燥装置として、公共施設等に設置するのに適している。
【図面の簡単な説明】
【００３２】
【図１】本発明にかかる手乾燥装置の実施の形態を示す縦断面図である。
【図２】図１のＡ−Ａ線に沿う拡大断面図である。
【符号の説明】
【００３３】
Ａ  手挿入口
Ｂ  ノズル
１  筐体
２  ブロワモータ
２ａ  吸込側端部
２ｂ  吸込側外周部
３  手挿入室
３ａ  前面
３ｂ  後面
４  ベース部
５  正面パネル
６  水受け部
７  排水口
８  排水管
９  ドレンタンク
１０  蓋
１１  吸込口
１２  吸気口
１３  エアフィルタ
１４、１５  手検知センサ
１６  ターボファン
１７  吐出口
１８  ブロワケースの内フランジ部（支持面）
２０  ダクト
２１  吸気路
２２  ブロワケース
２２ａ  第１ケース
２２ｂ  第２ケース
２３  ロータシャフト
２４  合せ面
２５  パッキン
２６  防振シール材
２６ａ  防振シール材の内フランジ部
２６ｂ  防振シール材の筒状部
２７  締結部
２８  位置決めリブ
２９  隙間
【図１】
2007044343.tif 000003
【図２】
2007044343.tif 000004